(57)【要約】  ＯＦＤＭなどのマルチキャリア通信方式において、信号処理単位の分割とパイロット信号の配置との関係に対する自由度を向上させる。符号化した信号をリソースブロックに分割してパイロット信号の配置と無関係に信号を配置し、パイロット信号と同位置に配置された信号は送信時にパンクチャする。
2007138753.tif 000002
【特許請求の範囲】
【請求項１】
複数のキャリアを用いて送信機と受信機とが通信を行い、復調の基準信号として用いるパイロット信号が一部の時間及び周波数を用いて送信され、１または複数のキャリア及び１または複数の時間シンボルを含むリソースブロック単位に信号を分割し、誤り訂正符号を用いて符号化した信号を通信するマルチキャリア無線通信システムにおける情報送信方法であって、
上記各リソースブロックに含まれるパイロット信号の個数がリソースブロックごとに異なり、上記各リソースブロックに対して同数の情報ビットを割り当ててそれぞれの情報ビットを時間・周波数にマッピングすることを特徴とする情報送信方法。
【請求項２】
請求項１記載の情報送信方法であって、上記パイロット信号と同位置に配された情報ビットをパンクチャして送信することを特徴とする情報送信方法。
【請求項３】
請求項１記載の情報送信方法であって、上記情報ビットをそれぞれパイロット信号を送信する以外の時間・周波数に配し、前記リソースブロックに割り当てられたうち時間・周波数に配されなかった上記情報ビットをパンクチャして送信することを特徴とする情報送信方法。
【請求項４】
請求項１記載の情報送信方法であって、上記情報ビットをそれぞれパイロット信号を送信する以外の時間・周波数に配し、前記リソースブロックに割り当てられた情報ビットが配されなかった時間・周波数には別の時間・周波数に配された情報ビットのいずれかをリピティションして送信することを特徴とする情報送信方法。
【請求項５】
複数のキャリアを用いて送信機と受信機とが通信を行い、復調の基準信号として用いるパイロット信号が一部の時間及び周波数を用いて送信されるマルチキャリア無線通信システムの通信局であって、
送信情報を誤り訂正符号化する誤り訂正符号化部と、
該誤り訂正符号化した信号を１または複数のキャリア及び１または複数の時間シンボルを含むリソースブロック単位に信号を分割して各リソースブロックに対して割り当ててそれぞれの情報を時間・周波数に配する多重化・マッピング部とを有し、
上記各リソースブロックに含まれるパイロット信号の個数がリソースブロックごとに異なり、
上記多重化・マッピング部は、上記各リソースブロックに対して同数の情報ビットを割り当ててそれぞれの情報ビットを時間・周波数にマッピングすることを特徴とする通信局。
【請求項６】
請求項５記載の通信局であって、上記多重化・マッピング部は、上記パイロット信号と同位置に配された情報ビットをパンクチャして送信することを特徴とする通信局。
【請求項７】
請求項５記載の通信局であって、上記多重化・マッピング部は、上記情報ビットをそれぞれパイロット信号を送信する以外の時間・周波数に配し、前記リソースブロックに割り当てられたうち時間・周波数に配されなかった上記情報ビットをパンクチャして送信することを特徴とする通信局。
【請求項８】
請求項５記載の通信局であって、上記多重化・マッピング部は、上記情報ビットをそれぞれパイロット信号を送信する以外の時間・周波数に配し、前記リソースブロックに割り当てられた情報ビットが配されなかった時間・周波数には別の時間・周波数に配された情報ビットのいずれかをリピティションして送信することを特徴とする通信局。
【発明の詳細な説明】
【参照による取り込み】
【０００１】
本出願は、２００６年５月３１日に出願された日本特許出願第２００６−１５０８７６号の優先権を主張し、その内容を参照することにより本出願に取り込む。
【技術分野】
【０００２】
本発明は符号化した信号を複数の通信リソースに分割して通信を行う通信方式、特に複数のサブキャリアに分割して通信する直交周波数分割多重方式のようなマルチキャリア通信方式において、符号化した情報の信号配置方法ならびに当該方法を実現する通信装置に関する。
【背景技術】
【０００３】
無線通信の広帯域化に伴って、以下サブキャリアと称する複数の周波数帯域に送信情報を分割して通信を行うマルチキャリア通信方式が用いられている。マルチキャリア通信方式のうち、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）方式は、サブキャリアあたりの帯域幅を狭帯域化することで遅延波に対する耐性を向上しつつ、シンボル時間範囲で直交関係にある複数の周波数を用いることでサブキャリア間のガードバンドを不要として周波数利用効率を保つことが可能であり、ＩＳＤＢ−Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）のようなデジタルテレビ放送やＩＥＥＥ８０２．１１ａのような無線ＬＡＮをはじめ、種々のシステムで採用されている。【０００４】
またこれらの通信システムでは、固定パターンのパイロット信号を送信信号に挿入し、受信時に参照位相と並びに参照振幅としてパイロット信号を用いて同期検波を行う。パイロット信号の挿入間隔については、時間方向には伝搬路変動の時間的な変動速度よりも十分に早い（短い）間隔でパイロット信号を挿入し、受信時に参照位相を更新して検波を行う必要がある。一方周波数方向については、ＯＦＤＭ方式では遅延時間の異なる複数の伝搬路を通じて受信した信号に対してまとめて受信信号処理を行う為、信号の周波数によって受信信号位相が異なることから、周波数による受信信号振幅及び位相差の違いよりも十分小さい周波数間隔で参照信号となるパイロット信号を挿入する必要がある。【０００５】
周波数方向の振幅及び位相の変動の度合いは遅延波の遅延時間の分散が大きいほど大きく、このため屋内での利用を想定している無線ＬＡＮのようなシステムに比べ、屋外での利用を想定しているデジタルテレビ放送のようなシステムでは多くのサブキャリアにパイロット信号を挿入する構成となっている。このように多くのサブキャリアにパイロット信号を挿入する場合には、データ伝送効率が低下し過ぎないように、スキャッタードパイロットシンボルと呼ばれる、時間及び周波数方向に離散的に選択したシンボルに、パイロット信号を配する構成がとられる。【０００６】
図２はＡｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ，「Ｔｒａｎｓｍｉｓｓｉｏｎ  ｓｙｓｔｅｍ  ｆｏｒ  Ｄｉｇｉｔａｌ  Ｔｅｒｒｅｓｔｒｉａｌ  Ｔｅｌｅｖｉｓｉｏｎ  Ｂｒｏａｄｃａｓｔｉｎｇ」ＡＲＩＢ  ｓｔｄ−Ｂ３１  Ｖｅｒｓｉｏｎ  １．５，２００３年７月，３．１２．２  ＯＦＤＭ−ｓｅｇｍｅｎｔ  Ｃｏｎｆｉｇｕｒａｔｉｏｎ  ｆｏｒ  ｔｈｅ  Ｓｙｎｃｈｒｏｎｏｕｓ  Ｍｏｄｕｌａｔｉｏｎ（非特許文献１）に示されているＩＳＤＢ−Ｔで用いられている時間−周波数軸上のデータシンボル及びスキャッタードパイロットシンボルの配置の例である。【０００７】
図２は横軸をキャリア番号、即ち周波数軸とし、縦軸をＯＦＤＭシンボル番号、即ち時間軸とした模式図であり、各矩形の箱がＱＰＳＫや１６ＱＡＭ等の一つの変調シンボルを表す。このうち、図中の記号１２１が情報の通信に用いるデータシンボル、記号１２２のＳＰと記されているシンボルが参照信号として用いるパイロットシンボルである。記号１２２のパイロットシンボルは、少ないパイロットシンボル数で時間及び周波数方向の分解能を持つために、時間及び周波数軸上に離散的に配置されており、この様子からスキャッタードパイロットシンボルと呼ばれている。また記号１２１のデータシンボルに記されているＳｉ，ｊの記号は周波数方向にｉ番目、時間方向にｊ番目のデータシンボルを意味しており、図２中の表記のように周波数方向の番号はスキャッタードパイロットシンボルを除いたシンボル番号となっている。このため、ある時間に配されるデータシンボル数は全サブキャリア数からパイロットサブキャリア数を引いた数となっている。【０００８】
一方、移動体通信の分野では、通信品質や通信速度等について様々に異なる要求を持つ複数のユーザ及びチャネルの信号を多重化して一つの無線帯域で通信を行う。このための多重化およびマッピングの仕組みとして、１ないし複数のサブキャリア、及び１ないし複数の時間シンボルをまとめて一つのリソースブロックとし、チャネルを分割してリソースブロックに割り当てるシステムが検討されている。【０００９】
例えば、３ｒｄ  Ｇｅｎｅｒａｔｉｏｎ  Ｐａｒｔｎｅｒｓｈｉｐ  Ｐｒｏｊｅｃｔ，  「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｐｈｙｓｉｃａｌ  Ｌａｙｅｒ  Ａｓｐｅｃｔｓ  ｆｏｒ  Ｅｖｏｌｖｅｄ  ＵＴＲＡ（Ｒｅｌｅａｓｅ  ７）」，３ＧＰＰ  ＴＲ  ２５．８１４  Ｖ１．０．２，２００６年２月，７．１．１．２  Ｍｕｌｔｉｐｌｅｘｉｎｇ  ｉｎｃｌｕｄｉｎｇ  Ｒｅｆｅｒｅｎｃｅ−ｓｉｇｎａｌ  Ｓｔｒｕｃｔｕｒｅ（非特許文献２）では、周波数方向には２５サブキャリア程度、時間方向には６〜７シンボル程度を一つのリソースブロックとして扱う方法が紹介されている。
【発明の開示】
【発明が解決しようとする課題】
【００１０】
図２に示したＩＳＤＢ−Ｔのようなスキャッタードパイロットシンボルを用い、かつ非特許文献２にあるようにリソースブロック単位のデータ割り当てを併用する場合、リソースブロックの構造とパイロットシンボル配置の構造とを同期しないとリソースブロックによってパイロットシンボルの挿入位置及び挿入数が異なり、データをリソースブロックへとマッピングする際には該リソースブロックに挿入されるパイロットシンボル数に応じてマッピングするデータ数を変える必要が生じ、またリソースブロック毎にパイロットシンボルの挿入位置が異なる為に送信時の変調処理及び受信時の復調処理が複雑になるという問題が生じる。【００１１】
本発明は上記の問題を解決すべくなされたものであり、リソースブロックの構造とパイロットシンボル配置の構造とが異なる場合であっても、簡易にリソースブロックへの信号配置及び変復調処理を行うことが出来る信号配置方法並びに該方式を適用した通信装置を提供することを目的とする。
【課題を解決するための手段】
【００１２】
上記課題を解決するための手段として、本発明による信号配置方法では、複数のキャリアを用いて送信機と受信機とが通信を行い、復調の基準信号として用いるパイロット信号が一部の時間及び周波数を用いて送信され、１ないし複数のキャリア及び１ないし複数の時間シンボルを合わせたリソースブロック単位に信号を分割し、誤り訂正符号を用いて符号化した信号を通信し、各リソースブロックに対して同数の情報ビットを割り当ててそれぞれの情報を時間・周波数に配し、パイロット信号と同位置に配された信号はパンクチャして送信する。
【発明の効果】
【００１３】
本発明によれば、ＯＦＤＭなどのマルチキャリア通信方式において、送信情報の時間及び周波数軸上へのマッピングを時間及び周波数軸上へのパイロットシンボルの配置と独立して行うことができ、簡易な構成で自由度をもって信号を配置できる信号配置方法並びに該方法を適用した通信装置を提供する。
本発明の他の目的、特徴及び利点は添付図面に関する以下の本発明の実施例の記載から明らかになるであろう。
【発明を実施するための最良の形態】
【００１４】
以下、本発明の実施の形態について、図面を用いて説明する。以下の説明では簡単のために第１の無線局から第２の無線局に対して送信する信号に対して本発明の信号配置方法を適用する場合について説明し、上記第１の無線局を送信局、上記第２の無線局を受信局と称する。一方本発明の信号配置方法は第１の無線局から第２の無線局への信号送信に対してと、第２の無線局から第１の無線局への信号送信に対してとの両方に対して適用することが可能であり、この場合、該第１及び第２の無線局はそれぞれ以下で説明する送信局と受信局との両方の信号処理を行う。【００１５】
例えばセルラシステムやインフラストラクチャモードの無線ＬＡＮにおける、以下固定局と称する基地局ないしはアクセスポイントと、以下移動局と称するユーザ端末とが存在するシステムにおいては、固定局から移動局への通信に対して本発明を適用する際には固定局が本発明の送信局、移動局が本発明の受信局に対応する。逆に移動局から固定局への通信に対して本発明を適用する際には移動局が本発明の送信局、固定局が受信局に対応し、また固定局から移動局、移動局から固定局の両方の通信に対して本発明を適用する際には、固定局及び移動局のそれぞれが送信局及び受信局として両方の信号処理を行う。【００１６】
またアドホックモードの無線ＬＡＮのように端末同士が直接通信するシステムにおいては、本発明を適用する信号を送信する際には各端末がそれぞれ本発明の送信局として動作し、本発明を適用する信号を受信する際には各端末がそれぞれ本発明の受信局として動作する。【００１７】
また、以下ではマルチキャリア通信方式として、各サブキャリアをシンボル単位で直交するような周波数に配置するＯＦＤＭ方式を例に本発明の実施の例について説明しているが、本発明はＯＦＤＭ方式に限定されるものではなく、複数のサブキャリアを用いるマルチキャリア方式であれば適用可能である。【００１８】
図３は本発明の実施の例における送信局の構成及び信号の流れの例である。送信情報はまず誤り訂正符号化部２０１において例えばＣＲＣのような誤り検出符号を付加され、畳み込み符号やターボ符号、ＬＤＰＣ符号といった誤り訂正符号を用いて符号化される。符号化された信号に対してはインタリーブ部２０２において信号の順序を入れ替えるインタリーブ処理が行われ、送信バッファ部２０３に蓄積される。送信バッファ部２０３に蓄積された信号は単位時間で送信する分ずつ取り出され、パイロット信号と共に多重化・マッピング部２０４に入力される。【００１９】
多重化・マッピング部２０４ではパイロット信号と、送信バッファより取り出された信号を、複数チャネルを用いた通信であれば複数チャネル分、複数ユーザの通信であれば複数ユーザ分、それぞれについて送信を行うサブキャリア及びシンボル時間に対応してマッピングする。次のシンボル変調部２０５においては、例えばＱＰＳＫや８ＰＳＫ、１６ＱＡＭといったシンボル変調方式にて変調処理が行われ、ＩＦＦＴ部２０６に入力される。ＩＦＦＴ部２０６では逆フーリエ変換処理によってサブキャリア毎にシンボルが定義される周波数領域の信号を時間領域の信号に変換してＧＩ（ガードインターバル）挿入部２０７に送られる。ＧＩ挿入部２０７では、図１０に示す模式図のように、ＩＦＦＴ部２０６から出力された信号の末尾の一部をコピーして先頭に挿入するガードインターバル挿入処理を行い、結果出力される信号を無線区間を通じて送信する。【００２０】
図５は、図３の送信局の構成及び信号の流れのうち、誤り訂正符号化部２０１から多重化・マッピング部２０４にかけての部分における、処理される信号の模式図である。送信情報はまず符号化単位の信号ブロック４０１の符号化単位Ｎ０ビット分だけ取り出され、図３の誤り符号化部２０１においてＣＲＣ等の誤り検出符号を付加され、また畳み込み符号やターボ符号、ＬＤＰＣ符号といった誤り訂正符号を用いて誤り訂正符号化されてＮ１ビット長の信号（符号化後の信号ブロック）４０２となる。信号４０２は図３のインタリーブ部２０２において信号順序の入れ替えが行われ、インタリーブ前と同じＮ１ビット長の信号（インタリーブ後の信号ブロック）４０３として図３の送信バッファ部２０３に蓄積される。信号４０３からは単位時間で送信する信号量ずつ、リソースブロックに割り当てるビット数Ｎ２ビットの分の信号４０４を１ないし複数個まとめて図３の多重化・マッピング部２０４に入力される。信号４０４はリソースブロックサイズ相当に分割された信号ブロックを表わす。ここで、Ｎ２ビットはリソースブロックあたりの変調シンボル数に、変調シンボルあたりに通信可能なビット数を乗じた値となり、例えばリソースブロックあたり１００の変調シンボルがあり、変調方式としてＱＰＳＫを用いる場合にはＮ２ビットは２００ビットとなり、同様に変調方式として６４ＱＡＭを用いる場合には６００ビットとなる値である。【００２１】
一方図４は本発明の実施の例における受信局の構成及び信号の流れの例である。受信局に受信された信号は、まずタイミング検出部３０８に入力され、固定パターン信号と受信信号との相互相関値のピーク位置検出処理や、受信信号自体の自己相関処理と言った処理によって受信タイミングを判定され、受信タイミングはＦＦＴ部３０６に通知される。ＦＦＴ部３０６では、タイミング検出部３０８より通知された受信タイミングに合わせて受信信号に対してフーリエ変換処理を行い、受信した時間系列の信号を周波数領域の信号に変換する。【００２２】
ＦＦＴ部３０６において周波数領域に変換された信号はまず伝搬路推定部３０７に入力され、伝搬路推定部３０７では信号に含まれるパイロット信号の位相及び振幅と、送信局において送信されたパイロット信号の位相及び振幅とを比較し、比較結果からサブキャリア及び時間毎の位相及び振幅の変動量を推定してシンボル復調部３０５に通知する。【００２３】
シンボル復調部３０５では、ＦＦＴ部３０６において周波数領域に変換された信号に対して、伝搬路推定部３０７において推定した位相及び振幅の変動量を用いて伝搬路における変動を補償し、ＱＰＳＫや１６ＱＡＭ等のシンボル変調された信号を復調して信号分離部３０４に入力する。信号分離部３０４では、復号を行うユーザ及びチャネルの信号を抽出して受信バッファ部３０３に蓄積する。【００２４】
受信バッファ部３０３では、復号を行う処理単位分の信号が蓄積されるとデインタリーブ部３０２に信号を送り、デインタリーブ部３０２では送信局におけるインタリーブ処理と逆順の順序変換を行って信号順を変換して誤り訂正復号部３０１に入力する。誤り訂正復号部３０１では、送信時に用いた誤り訂正符号を用いて復号処理を行い、送信時に付加した誤り検出符号にて判定した誤りの有無と共に受信情報として出力する処理を行う。【００２５】
図１は本発明の実施の例における時間軸及び周波数軸へのデータシンボル及びパイロットシンボルの配置並びにリソースブロックの配置を示す模式図である。リソースブロックとは、１ないしは複数のサブキャリア及び１ないしは複数の時間単位に跨った複数のシンボルを１単位にまとめて扱う処理単位であり、符号語をデータシンボルにマッピングする際のマッピング単位として用いる。マッピングの単位を変調シンボル個々単位ではなくリソースブロック単位にすることによって、マッピングの自由度は低下するものの、ある符号語がどのようにマッピングされているかを通知するシグナリングや、またマッピング処理そのものを簡易化することが可能となる図中縦軸はサブキャリア番号即ち周波数軸を、横軸はシンボル番号即ち時間軸を表す。図中の矩形の箱はＱＰＳＫや１６ＱＡＭ等の変調シンボルを意味し、記号１０１の白抜きの箱はデータシンボルを、記号１０２の塗りつぶされた箱はパイロットシンボルを表し、記号１１１の枠で囲まれたような複数の変調シンボルをまとめた単位がリソースブロックである。【００２６】
なお図１では、周波数方向に５サブキャリア、時間方向に７シンボル分をまとめて一つのリソースブロックとして扱っているが、これらの値は一例であり、リソースブロックあたりのサブキャリア数及びシンボル数はこれらの値に制限されない。【００２７】
図６は図３の本発明における送信局の多重化・マッピング部２０４での上記リソースブロックへのデータ及びパイロットシンボルの割り当ての様子を示した模式図の一例である。【００２８】
図６では簡単の為に、リソースブロック１４１−ａと１４１−ｂの２つのリソースブロックに限定して説明を行う。両リソースブロックは周波数方向に５サブキャリア、時間方向に７シンボルの大きさを持つ為、合計３５の変調シンボルを通信可能な大きさと持つ。また、図中のＳ０からＳ３４までの記号はそれぞれ一つの変調シンボルを表し、例えば変調方式としてＢＰＳＫを用いる場合には１変調シンボルあたり１ビットの情報、ＱＰＳＫを用いる場合には２ビットの情報、８ＰＳＫを用いる場合には３ビットの情報、１６ＱＡＭを用いる場合には４ビットの情報、６４ＱＡＭを用いる場合には６ビットの情報を意味する。【００２９】
図６の例においては、まずリソースブロックの大きさと同量の３５シンボル分ずつがリソースブロック１４１−ａ及び１４１−ｂにわりあてられ、（ａ）の図のようにＳ０からＳ３４まで合計３５のシンボルはリソースブロック１４１−ａ、１４１−ｂに同様の形式でリソースブロック内の時間・周波数にマッピングされる。参照番号１３１はデータシンボルを示す。【００３０】
次に、（ｂ）の図のようにパイロットシンボルと同じ時間・周波数にあたる時間・周波数にマッピングされたデータシンボル、即ちリソースブロック１４１−ａにおけるＳ１１及びＳ２１、リソースブロック１４１−ｂにおけるＳ４及びＳ１４及びＳ３２がパンクチャされる。参照番号１３３はパンクチャされたデータシンボルを示す。【００３１】
最後に、（ｃ）の図のようにパンクチャされたデータシンボルに変わってパイロットシンボル１３２がマッピングされ、図６の例におけるリソースブロックへのデータ及びパイロットシンボルの割り当てが完了する。【００３２】
また、図６のリソースブロックへのデータ及びパイロットシンボルの割り当ての様子は図４の受信局におけるシンボル復調処理部３０５及び伝搬路推定処理部３０７においても用いられる。【００３３】
この場合、受信局の伝搬路推定処理部３０７では、（ｃ）の図のように挿入されているパイロットシンボル１３２を抽出し、信号の位相及び振幅と、送信されたパイロット信号の位相及び振幅とを比較し、比較結果からサブキャリア及び時間毎の位相及び振幅の変動量を推定する。【００３４】
また受信局のシンボル復調部３０５では、シンボルの復調処理を行う際に（ｂ）の図でパイロットシンボルと同じ時間・周波数にあたる時間・周波数にマッピングされ、パンクチャされたデータシンボル、即ちリソースブロック１４１−ａにおけるＳ１１及びＳ２１、リソースブロック１４１−ｂにおけるＳ４及びＳ１４及びＳ３２については、復調を行わずに信号電力０の信号が受信されたとみなして尤度０の復調結果を出力する。【００３５】
図７は図３の本発明における送信局の多重化・マッピング部２０４での上記リソースブロックへのデータ及びパイロットシンボルの割り当ての様子を示した模式図の別の一例である。図７では簡単の為に、リソースブロック１４１−ａと１４１−ｂの２つのリソースブロックに限定して説明を行う。両リソースブロックは周波数方向に５サブキャリア、時間方向に７シンボルの大きさを持つ為、合計３５の変調シンボルを通信可能な大きさと持つ。また、図中のＳ０からＳ３４までの記号はそれぞれ一つの変調シンボルを表し、例えば変調方式としてＢＰＳＫを用いる場合には１変調シンボルあたり１ビットの情報、ＱＰＳＫを用いる場合には２ビットの情報、８ＰＳＫを用いる場合には３ビットの情報、１６ＱＡＭを用いる場合には４ビットの情報、６４ＱＡＭを用いる場合には６ビットの情報を意味する。【００３６】
図７の例においては、まずリソースブロックの大きさと同量の３５シンボル分ずつがリソースブロック１４１−ａ及び１４１−ｂに割り当てられ、（ａ）の図のようにパイロットシンボルが配置される時間・周波数であるリザーブドシンボルスペース１３５の場所を除き、リソースブロック１４１−ａではＳ０からＳ３２までの３３シンボル分、リソースブロック１４１−ｂではりソースブロックＳ０からＳ３１までの３２シンボル分がリソースブロック内の時間・周波数にマッピングされる。このとき、リソースブロック１４１−ａではＳ３３及びＳ３４の２シンボル分、リソースブロック１４１−ｂではＳ３２からＳ３４の３シンボル分に相当する送信時間・周波数をアサインされなかったシンボル１３４はそのまま送信されずにここで破棄される。【００３７】
次に、（ｂ）の図のようにリソースブロックに割り当てられたシンボル分のうち、時間・周波数にマッピングされなかったシンボル、即ちリソースブロック１４１−ａのＳ３３及びＳ３４、リソースブロック１４１−ｂのＳ３２からＳ３４までがパンクチャされる。【００３８】
最後に、（ｃ）の図のようにデータがマッピングされなかったリザーブドシンボルスペース１３５の場所にパイロットシンボル１３２をマッピングすることで、図７の例におけるリソースブロックへのデータ及びパイロットシンボルの割り当てが完了する。【００３９】
また、図７のリソースブロックへのデータ及びパイロットシンボルの割り当ての様子は図４の受信局におけるシンボル復調処理部３０５及び伝搬路推定処理部３０７においても用いられる。【００４０】
この場合、受信局の伝搬路推定処理部３０７では、（ｃ）の図のように挿入されているパイロットシンボル１３２を抽出し、信号の位相及び振幅と、送信されたパイロット信号の位相及び振幅とを比較し、比較結果からサブキャリア及び時間毎の位相及び振幅の変動量を推定する。【００４１】
また受信局のシンボル復調部３０５では、シンボルの復調処理を行う際に（ａ）の図で送信されずに破棄されたリソースブロック１４１−ａではＳ３３及びＳ３４の２シンボル分、リソースブロック１４１−ｂではＳ３２からＳ３４の３シンボル分に関しては信号電力０の信号が受信されたとみなして尤度０の復調結果を追加して出力する。【００４２】
図８は図３の本発明における送信局の多重化・マッピング部２０４での上記リソースブロックへのデータ及びパイロットシンボルの割り当ての様子を示した模式図の更に別の一例である。図８では簡単の為に、リソースブロック１４１−ａと１４１−ｂの２つのリソースブロックに限定して説明を行う。両リソースブロックは周波数方向に５サブキャリア、時間方向に７シンボルの大きさを持つ為、合計３５の変調シンボルを通信可能な大きさと持つ。また、図中のＳ０からＳ３４までの記号はそれぞれ一つの変調シンボルを表し、例えば変調方式としてＢＰＳＫを用いる場合には１変調シンボルあたり１ビットの情報、ＱＰＳＫを用いる場合には２ビットの情報、８ＰＳＫを用いる場合には３ビットの情報、１６ＱＡＭを用いる場合には４ビットの情報、６４ＱＡＭを用いる場合には６ビットの情報を意味する。【００４３】
図８の例においては、まずリソースブロックの大きさとからリソースブロック内に割り当てられるパイロットシンボル数の最小値に相当するシンボル分のデータが各リソースブロックに割り当てられる。図８の場合、リソースブロックの大きさは３５シンボル分であり、リソースブロック１４１−ａ内に割り当てられるパイロットシンボル数は２、リソースブロック１４１−ｂ内に割り当てられるパイロットシンボル数は３であるから、各リソースブロックにはそれぞれ３５から２を引いた値である３３シンボル分のデータが割り当てられる。各リソースブロックに割り当てられたシンボルは（ａ）の図のようにパイロットシンボルが配置される時間・周波数である１３５の場所を除き、リソースブロック１４１−ａではＳ０からＳ３２までの３３シンボル分、リソースブロック１４１−ｂではりソースブロックＳ０からＳ３１までの３２シンボル分がリソースブロック内の時間・周波数にマッピングされる。このとき、リソースブロック１４１−ｂのＳ３２の１シンボル分に相当する送信時間・周波数をアサインされなかったシンボル１３４はそのまま送信されずにここで破棄される。【００４４】
次に、（ｂ）の図のようにリソースブロックに割り当てられたシンボル分のうち、時間・周波数にマッピングされなかったシンボル、リソースブロック１４１−ｂのＳ３３がパンクチャされる。
最後に、（ｃ）の図のようにデータがマッピングされなかった１３５の場所にパイロットシンボル１３２をマッピングすることで、図８の例におけるリソースブロックへのデータ及びパイロットシンボルの割り当てが完了する。【００４５】
また、図８のリソースブロックへのデータ及びパイロットシンボルの割り当ての様子は図４の受信局におけるシンボル復調処理部３０５及び伝搬路推定処理部３０７においても用いられる。【００４６】
この場合、受信局の伝搬路推定処理部３０７では、（ｃ）の図のように挿入されているパイロットシンボル１３２を抽出し、信号の位相及び振幅と、送信されたパイロット信号の位相及び振幅とを比較し、比較結果からサブキャリア及び時間毎の位相及び振幅の変動量を推定する。【００４７】
また受信局のシンボル復調部３０５では、シンボルの復調処理を行う際に（ａ）の図で送信されずに破棄されたリソースブロック１４１−ｂのＳ３２の１シンボル分に関しては信号電力０の信号が受信されたとみなして尤度０の復調結果を追加して出力する。【００４８】
図９は図３の本発明における送信局の多重化・マッピング部２０４での上記リソースブロックへのデータ及びパイロットシンボルの割り当ての様子を示した模式図の更に別の一例である。図９では簡単の為に、リソースブロック１４１−ａと１４１−ｂの２つのリソースブロックに限定して説明を行う。両リソースブロックは周波数方向に５サブキャリア、時間方向に７シンボルの大きさを持つ為、合計３５の変調シンボルを通信可能な大きさと持つ。また、図中のＳ０からＳ３４までの記号はそれぞれ一つの変調シンボルを表し、例えば変調方式としてＢＰＳＫを用いる場合には１変調シンボルあたり１ビットの情報、ＱＰＳＫを用いる場合には２ビットの情報、８ＰＳＫを用いる場合には３ビットの情報、１６ＱＡＭを用いる場合には４ビットの情報、６４ＱＡＭを用いる場合には６ビットの情報を意味する。【００４９】
図９の例においては、まずリソースブロックの大きさとからリソースブロック内に割り当てられるパイロットシンボル数の最大値に相当するシンボル分のデータが各リソースブロックに割り当てられる。図８の場合、リソースブロックの大きさは３５シンボル分であり、リソースブロック１４１−ａ内に割り当てられるパイロットシンボル数は２、リソースブロック１４１−ｂ内に割り当てられるパイロットシンボル数は３であるから、各リソースブロックにはそれぞれ３５から３を引いた値である３２シンボル分のデータが割り当てられる。各リソースブロックに割り当てられたシンボルは（ａ）の図のようにパイロットシンボルが配置される時間・周波数である１３５の場所を除き、それぞれＳ０からＳ３１までの３２シンボル分がリソースブロック内の時間・周波数にマッピングされる。【００５０】
次に、（ｂ）の図のように割り当てるべきシンボルが不足した時間・周波数１３６に対して、既に時間・周波数に割り当てられた信号いずれかを選択してリピティションして割り当てを行う。【００５１】
最後に、（ｃ）の図のようにデータがマッピングされなかった１３５の場所にパイロットシンボル１３２をマッピングすることで、図９の例におけるリソースブロックへのデータ及びパイロットシンボルの割り当てが完了する。【００５２】
また、図９のリソースブロックへのデータ及びパイロットシンボルの割り当ての様子は図４の受信局におけるシンボル復調処理部３０５及び伝搬路推定処理部３０７においても用いられる。【００５３】
この場合、受信局の伝搬路推定処理部３０７では、（ｃ）の図のように挿入されているパイロットシンボル１３２を抽出し、信号の位相及び振幅と、送信されたパイロット信号の位相及び振幅とを比較し、比較結果からサブキャリア及び時間毎の位相及び振幅の変動量を推定する。【００５４】
また受信局のシンボル復調部３０５では、シンボルの復調処理を行う際に（ｂ）の図でリピティションして割り当てられた信号に関しては復調結果の尤度を合成して、リピティションの為に選択された信号の復調結果として復調結果を出力する。
上記記載は実施例についてなされたが、本発明はそれに限らず、本発明の精神と添付の請求の範囲の範囲内で種々の変更および修正をすることができることは当業者に明らかである。
【図面の簡単な説明】
【００５５】
【図１】本発明におけるデータ及びパイロットシンボル配置並びにリソースブロックの例。
【図２】ＩＳＤＢ−Ｔの時間−周波数軸上のデータシンボル及びスキャッタードパイロットシンボルの配置の例。
【図３】本発明の送信局の構成及び信号処理の流れの例。
【図４】本発明の受信局の構成及び信号処理の流れの例。
【図５】本発明の送信局における信号分割の模式図。
【図６】本発明のリソースブロックへの信号の割り当ての一例。
【図７】本発明のリソースブロックへの信号の割り当ての一例。
【図８】本発明のリソースブロックへの信号の割り当ての一例。
【図９】本発明のリソースブロックへの信号の割り当ての一例。
【図１０】ガードインターバル挿入処理の模式図。
【図１】
2007138753.tif 000003
【図２】
2007138753.tif 000004
【図３】
2007138753.tif 000005
【図４】
2007138753.tif 000006
【図５】
2007138753.tif 000007
【図６】
2007138753.tif 000008
【図７】
2007138753.tif 000009
【図８】
2007138753.tif 000010
【図９】
2007138753.tif 000011
【図１０】
2007138753.tif 000012
【手続補正書】
【提出日】平成21年1月15日(2009.1.15)
【手続補正１】
【補正対象書類名】明細書
【補正対象項目名】０００９
【補正方法】変更
【補正の内容】
【０００９】
例えば、３ｒｄ  Ｇｅｎｅｒａｔｉｏｎ  Ｐａｒｔｎｅｒｓｈｉｐ  Ｐｒｏｊｅｃｔ，「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｐｈｙｓｉｃａｌ  Ｌａｙｅｒ  Ａｓｐｅｃｔｓ  ｆｏｒ  Ｅｖｏｌｖｅｄ  ＵＴＲＡ（Ｒｅｌｅａｓｅ  ７）」，３ＧＰＰ  ＴＲ  ２５．８１４  Ｖ１．２．０，２００６年２月，７．１．１．２  Ｍｕｌｔｉｐｌｅｘｉｎｇ  ｉｎｃｌｕｄｉｎｇ  Ｒｅｆｅｒｅｎｃｅ−ｓｉｇｎａｌ  Ｓｔｒｕｃｔｕｒｅ（非特許文献２）では、周波数方向には２５サブキャリア程度、時間方向には６〜７シンボル程度を一つのリソースブロックとして扱う方法が紹介されている。
【国際調査報告】
2007138753.tif 000013
2007138753.tif 000014
2007138753.tif 000015
2007138753.tif 000016